(57)【要約】      （修正有）【課題】風量を自由に調節することができ、フィルムと網戸が強固に係止する差し込みフィルム付網戸を提供する。【解決手段】縦横框を枠組みした框に網を張設した網戸と、複数の穴が開設されたフィルム、及びフィルムの周辺の外側に設けた係止部材で構成した差込みフィルムとで構成される差込みフィルム付き網戸において、縦框の内側に溝を設け、係止部材の側面に係止突起を設け、係止部材に設けた係止突起を、縦框の溝に係止する。【選択図】図５
0003172790.tif 000002
【実用新案登録請求の範囲】
【請求項１】
縦横框を枠組みした框に網を張設した網戸と、複数の穴が開設されたフィルム、及びこのフィルムの両端に設けた係止部材で構成した差込みフィルムとで構成される差込みフィルム付き網戸において、
前記縦框には、内側の所定の位置に係止孔を設け、
前記係止部材には、側面に係止突起を設け、
前記係止部材に設けた係止突起を、前記縦框の溝に係止するように構成した差込みフィルム付き網戸。
【請求項２】
請求項１に記載の差込みフィルム付き網戸であって、
前記係止孔を網戸の高さに対して中位から上に設けたことを特徴とした差込みフィルム付き網戸。
【請求項３】
請求項１に記載の差込みフィルム付き網戸であって、
前記係止孔を網戸の高さに対して中位から下に設けたことを特徴とした差込みフィルム付き網戸。
【請求項４】
縦横框を枠組みした框に網を張設した網戸と、複数の穴が開設されたフィルムとで構成される差込みフィルム付き網戸において、
前記縦横框には、複数の被係止杆、又は被係止穴でなる複数の被係止部を設け、
前記フィルムの周辺には、複数の係止穴、又は係止杆でなる複数の係止部を設け、
前記被係止部と、係止部とを係止することで、前記縦横框に、前記フィルムを係止するように構成した差込みフィルム付き網戸。
【考案の詳細な説明】
【技術分野】
【０００１】
本考案は、差込みフィルム付き網戸に関する。
【背景技術】
【０００２】
近年、エネルギー資源の有効利用、及び二酸化炭素の排気制限が行われる等、環境保全対策が進められているが、その一環として、節電対策も重要な役割の一つである。
【０００３】
家庭で使用される電力のうち、夏場のエアコンの消費電力は大きく、節電対策としては、消費電力が大きい夏場のエアコンの使用を抑えるのが望ましい。
【０００４】
夏場のエアコンの使用を抑えた場合の暑さ対策としては、例えば、窓を開けて網戸にして自然の風を利用する方法が考えられるが、窓を開けて網戸にした場合、風が強いと室内にある書類等が風で吹き飛ぶという問題点がある。また、窓を開けることによるプライバシーの侵害にも配慮する必要がある。
【０００５】
そこで、これらの問題点を解決すべく、様々な網戸が提案されている。
【０００６】
例えば、文献１として実開昭６１−１３１４９７号公報「窓掛け付網戸」が挙げられる。この考案は、窓に取り付ける虫避け網戸の網面にカーテン様部材の四隅等に小鉤状の多数の嵌止突起を表面に持つ嵌着布を固着してなる窓掛けの嵌止突起部を対接させて押圧して止め付けることを特徴とした柔軟なフィルム・シート若しくは硬質な平板から成るカーテン様部材に小さい孔を多数あけた窓掛け付網戸である。
【０００７】
また、窓を開けて網戸にした場合、室内には風の他、紫外線も侵入してくるが、人間が長時間にわたって紫外線にさらされると、皮膚、目、免疫系へ急性もしくは慢性の疾患を引き起こすという問題点もある。
【０００８】
この問題点を解決するものとして、例えば、文献２として実開平１−１１８０８９号公報「紫外線防止網戸」が挙げられる。この考案は、アルミサッシの窓枠を組み立て、その中央に紫外線防止用のフィルムを網状にしたものをかぶせた紫外線防止網戸である。
【特許文献１】実開昭６１−１３１４９７号公報
【特許文献２】実開平１−１１８０８９号公報
【考案の開示】
【考案が解決しようとする課題】
【０００９】
しかし、文献１に係る考案によると、網戸の一部を遮蔽する構成であるため、風が強くても室内の書類等が飛ばなくなる利点はあるが、その反面、室内に風が入らなくて暑苦しく、臭気の拡散、若しくは、息苦しさを感ずるおそれが考えられる。
【００１０】
また、文献２に係る考案は、紫外線防止用のフィルムを網状にしたものをアルミサッシの窓枠にかぶせる構成であり、従来の網戸に設置するというものではない。従って、従来の網戸に設置できないという改良点がある。
【課題を解決するための手段】
【００１１】
本考案はかかる問題点に鑑み、次のような差込みフィルム付き網戸を提供する。
【００１２】
請求項１に記載の考案によれば、フィルムに穴を設けていることによって通気性を良くし、自然の風を室内に自由に取り入れられるため、夏場のエアコンの使用を抑えて、消費電力の低減を図ることができる特徴がある。また、シートの穴の数を自由に調節することによって、室内へ入る風の量も自由に調節することができること、また、書類の飛散防止に有効である。さらに、室内への日射の侵入を遮り、室内気温を低く抑える効果がある。また、差込みフィルムと網戸が強固に係止することができる。
【００１３】
請求項１は、縦横框を枠組みした框に網を張設した網戸と、複数の穴が開設されたフィルム、及びこのフィルムの両端に設けた係止部材で構成した差込みフィルムとで構成される差込みフィルム付き網戸において、
前記縦框には、内側の所定の位置に係止孔を設け、
前記係止部材には、側面に係止突起を設け、
前記係止部材に設けた係止突起を、前記縦框の溝に係止するように構成した差込みフィルム付き網戸である。
【００１４】
請求項２に記載の考案によれば、網戸の高さに対して差込みフィルムの位置を調節することができる。
【００１５】
請求項２は、請求項１に記載の差込みフィルム付き網戸であって、
前記係止孔を網戸の高さに対して中位から上に設けたことを特徴とした差込みフィルム付き網戸である。
【００１６】
請求項３に記載の考案によれば、網戸の高さに対して差込みフィルムの位置を調節することができる。
【００１７】
請求項３は、請求項１に記載の差込みフィルム付き網戸であって、
前記係止孔を網戸の高さに対して中位から下に設けたことを特徴とした差込みフィルム付き網戸である。
【００１８】
請求項４に記載の考案によれば、請求項１と同様の目的を達成する他、差込みフィルムと網戸が強固に係止することができる。
【００１９】
請求項４は、縦横框を枠組みした框に網を張設した網戸と、複数の穴が開設されたフィルムとで構成される差込みフィルム付き網戸において、
前記縦横框には、複数の被係止杆、又は被係止穴でなる複数の被係止部を設け、
前記フィルムの周辺には、複数の係止穴、又は係止杆でなる複数の係止部を設け、
前記被係止部と、係止部とを係止することで、前記縦横框に、前記フィルムを係止するように構成した差込みフィルム付き網戸である。
【考案の効果】
【００２０】
請求項１の考案は、縦横框を枠組みした框に網を張設した網戸と、複数の穴が開設されたフィルム、及びフィルムの両端に設けた係止部材で構成した差込みフィルムとで構成される差込みフィルム付き網戸において、
縦框には、内側の所定の位置に係止孔を設け、
係止部材には、側面に係止突起を設け、
係止部材に設けた係止突起を、縦框の溝に係止するように構成した差込みフィルム付き網戸である。
【００２１】
したがって、請求項１に記載の考案によれば、フィルムに穴を設けていることによって通気性を良くし、自然の風を室内に自由に取り入れられるため、夏場のエアコンの使用を抑えて、消費電力の低減を図ることができる特徴がある。また、シートの穴の数を自由に調節することによって、室内へ入る風の量も自由に調節することができること、また、書類の飛散防止に有効である。さらに、室内への日射の侵入を遮り、室内気温を低く抑える効果がある。また、差込みフィルムと網戸が強固に係止することができる。
【００２２】
請求項２の考案は、請求項１に記載の差込みフィルム付き網戸であって、
係止孔を網戸の高さに対して中位から上に設けたことを特徴とした差込みフィルム付き網戸である。
【００２３】
したがって、請求項２は、網戸の高さに対して差込みフィルムの位置を調節することができる。
【００２４】
請求項３の考案は、請求項１に記載の差込みフィルム付き網戸であって、
係止孔を網戸の高さに対して中位から下に設けたことを特徴とした差込みフィルム付き網戸である。
【００２５】
したがって、請求項３は、網戸の高さに対して差込みフィルムの位置を調節することができる。
【００２６】
請求項４の考案は、縦横框を枠組みした框に網を張設した網戸と、複数の穴が開設されたフィルムとで構成される差込みフィルム付き網戸において、
縦横框には、複数の被係止杆、又は被係止穴でなる複数の被係止部を設け、
フィルムの周辺には、複数の係止穴、又は係止杆でなる複数の係止部を設け、
被係止部と、係止部とを係止することで、縦横框に、フィルムを係止するように構成した差込みフィルム付き網戸である。
【００２７】
したがって、請求項４は、請求項１と同様の目的を達成する他、差込みフィルムと網戸が強固に係止することができる。
【図面の簡単な説明】
【００２８】
【図１】フィルムの斜視図
【図２】フィルムの断面図
【図３】穴あけ冶具の斜視図
【図４】一の実施例である、縦框の内側周辺部に取付溝を形成した網戸の斜視図
【図５】一の実施例である縦框に、差込みフィルムを差込む途中の状態の要部拡大図
【図６】一の実施例である縦框に、差込みフィルムを差込む途中の状態の全体図
【図７】一の実施例である縦框に、差込みフィルムの差込みが完了した状態の全体図
【図８】縦框の内側周辺部に設けた取付け溝を弾性体で形成し、この取付け溝に、フィルムの周辺に設けたブッシュ材を差し込む途中の状態の図
【図９】図８の差し込みが完了した状態の図
【図１０】フィルムと紫外線吸収フィルムの正面図
【図１１】フィルムと紫外線吸収フィルムを網戸に設けた状態の図
【図１２】フィルムと紫外線吸収フィルムを重ね合わせた状態の一部決裁正面図
【図１３】他の実施例である差込みフィルムの斜視図
【図１４】図１３の差込みフィルムの使用状態を表した図
【図１５】取付シートをフィルムに設けた例の正面図
【図１６】取付シートを介して、シートを網戸の四辺の角部に止めた状態の一部決裁した要部拡大図
【図１７】他の実施例の框とフィルムとの係止関係を示した図
【図１７−１】図１７の要部拡大図
【図１８】さらに他の実施例の框とフィルムとの係止関係を示した図
【図１８−１】図１８の要部拡大図
【図１９】従来例の網戸の使用状態の図
【図２０】本考案の網戸の使用状態の図
【考案を実施するための最良の形態】
【００２９】
以下、本考案について説明する。
【００３０】
周知の如く、図示しない、カーテン、ブラインド、シャッタ等の開閉手段は、閉めると、室内には、外気が入りにくいが、プライバシーの保護が図れる。しかし、開ければ、外気が入るが、プランバシーの保護が図れない等の如く、一長一短がある。この開閉手段の中で、ブラインド、シャッタは、風が吹くと不快な音がする場合がある。このような問題点を解決するのが、本考案であり、色付きのもの、又は半透明でなるフィルム１を使用するものである。
【００３１】
このフィルム１は、柔軟で、かつ、薄いものが望ましい。その利点は、網戸Ａ及び／又は框等に対する負担軽減と、取付け及び／又は交換等の容易化、低廉化等に有益である。
【００３２】
そして、また、フィルム１の材質としては様々なものが考えられる。例えば、ポリカーボネート、アクリル、耐候性樹脂等である。その他、塩化ビニリデン、塩化ビニール、又はポリエチレン製等の調理用ラップ等も考えられる。
【００３３】
このフィルム１として、必要不可欠な物性として、例えば、紫外線を反射、若しくは吸収する紫外線防止剤（例えば、酸化チタン）を含有させることが好ましい。例えば、市場のＵＶカット素材が、汎用性と手当ての容易化、取扱の容易化、低コスト化等の見地から好ましい。
【００３４】
その他として、フィルム１には、芳香剤・虫の忌避剤を含有させることが好ましい。含有される芳香剤としては、例えば、酢酸テルピニル（ラベンダーのような香り）、酢酸ゲラニル（バラの花の香り）酢酸シトロネリル（ローズのような香り）等を挙げることができる。忌避剤としては、蚊、昆虫、害虫、小動物等を寄付けない薬液が望ましい。
【００３５】
尚、例えば、フィルム１等に抗ウィルス性塗料を塗布することによって、室内にウィルスの侵入を防止することもできる。
【００３６】
フィルム１の材質を利用することが、さらに重宝するものであり、例えば、穴１ｄの数を増やしたい場合は、爪楊枝や、図３で図示した穴あけ冶具４等で開設する（穴１ｄを開ける）。また、穴１ｄの大きさを変更することも可能であり、前記穴あけ冶具４を利用する際に便利である。そして、穴１ｄの数及び／又は大きさ、開設する場所等を調整して、室内へ入り込む風の量を調節することができる。例えば、多数の穴１ｄが形成されたフィルム１を使用すると、風の入り込む量が多くなる。また、フィルム１の穴１ｄは、円形が強度的に優れ、破れるおそれがないが、これに限定されず、三角形等の多角形、楕円形又はその他の不定形であってもよい。
【００３７】
この穴１ｄの向きに関して説明すると、例えば、図２のように、側面視して傾斜したものや、側面視して水平のもの等、様々な向きが考えられる。部屋の状態、人の生活環境とか、間取り、事務所の構造等を考慮して決定する。例えば、図１９、図２０の如く、事務所等においては、室内の机の上の書類Ｃを吹き飛ばさないことを考慮し、穴１ｄを上方に向けて傾斜させるか、又は水平にする等の方法が望ましい。さらに、室内の高い位置にあるカレンダー、メモ等を風でばたつかせないようにするためには、穴１ｄの位置を下方に向けて傾斜させるか、あるいは、水平にするのが望ましい。
【００３８】
網戸Ａの網Ａ１の穴Ａ２と、フィルム１の穴１ｄを合わせると、多くの風を室内に入れることが可能となる。一方、網戸Ａの網Ａ１の穴Ａ２と、フィルム１の穴１ｄをずらすと、プライバシーの保護が図れることとなる。
【００３９】
このように、網戸Ａの網Ａ１の穴Ａ２と、フィルム１の穴１ｄの位置を適宜選択することによって、室内への風量の調節や、プライバシーの保護を図ることができる。
【００４０】
フィルム１を利用した各実施例を以下に説明する。先ず、図４〜図９にあるように、縦框１１の内側周辺部に取付け溝２０を形成し、この取付け溝２０を弾性体で形成するか、又は弾性シール材（図示せず）を取付け、フィルム１の周辺に設けたブッシュ材２１を差込み係止する構造を採用することで、差込みフィルム２０を、縦框１１に強固かつ弾性的に設置できる特性がある。同様な趣旨で、図１３、図１４は、フィルム１を、差込みフィルム３０とする構造であり、一方のフィルム３０ｂと、他方のフィルム３０ｃの二組の構造である。その一例は、一方のフィルム３０ｂと、他方のフィルム３０ｃには、複数の穴３０ａ１、３０ａ２が開設されるが、この穴３０ａ１、３０ａ２は異質な構造とする。例えば、穴３０ａ１は大きく、穴３０ａ２は小さくするか、又は穴３０ａ１の数を少なく、穴３０ａ２の数を多くする等とする。従って、この異質の穴３０ａ１と、穴３０ａ２を適宜組合せて、風の通過量と、風の方向を自由に選択する。また、この例では、一方のフィルム３０ｂと、他方のフィルム３０ｃを、縦框１１の上下方向において、自由な移動を図るために、例えば、一方のフィルム３０ｂと、他方のフィルム３０ｃとを、係止部材３１に張装する構造とするとともに、この係止部材３１に係止突起３２を設ける構造とし、この係止突起３２を、縦框１１の溝に挿設可能とする。この構造を利用して、この一方のフィルム３０ｂと、他方のフィルム３０ｃとを適宜移動することを特徴とすることで、風の通過量と、風の方向を自由に選択する。また、図示しないが、縦框１１の溝を、網戸Ａの高さに対して中位から上に設ける構成や、又は網戸Ａの高さに対して中位から下に設ける構成とすることによって、差込みフィルム３０を好みの位置に設置することができ、前述の特徴を享受できる。
【００４１】
次に、図１５、図１６の例では、フィルム１に、粘着剤１ｂを備えた取付シート４０を設ける構造であって、この取付シート４０を、網戸Ａの四辺の角部、又は適所に設けて固定し、フィルム１を取付ける方法である。この方法は、取付けの容易化と同時に、剥離及び交換の容易化を意図する。
【００４２】
そして、図１７と図１８の一例では、フィルム１の四隅、又は周辺に、係止部、例えば、係止穴５、又は係止杆６を設けるとともに、網戸Ａの框１１の四隅、又は周辺に、被係止部、例えば、被係止杆８、又は被係止穴７を設ける構成がある。そして、図１７では、係止穴５を、被係止杆８に被嵌し、このフィルム１を網戸Ａに止着する構造を示している。また、図１８では、係止杆６を、被係止穴７に差込み、フィルム１を網戸Ａに止着する構造を示している。具体的には、フィルム１の一隅を把持し、この一隅の係止穴５を、網戸Ａの框の一隅の被係止杆８に被嵌して係止する。この作業を順次行い、フィルム１を、網戸Ａに係止する。或いは、フィルム１の一隅を把持し、この一隅の係止杆６を、網戸Ａの框の一隅の被係止穴７に差込み係止する。この作業を順次行い、フィルム１を、網戸Ａに係止する。
【符号の説明】
【００４３】
１          フィルム
１ｂ        粘着剤
１ｄ        穴
４          穴あけ冶具
５          係止穴
６          係止杆
７          被係止穴
８          被係止杆
１０        フィルム
１１        縦框
１１ａ      支持溝
１１ｂ      係止孔
１２        横框
１５        紫外線吸収フィルム
２０        取付け溝
２１        ブッシュ材
３０        差込みフィルム
３０ａ１    穴
３０ａ２    穴
３０ｂ      フィルム
３０ｃ      フィルム
３１        係止部材
３２        係止突起
３５        係止孔
４０        取付シート
Ａ          網戸
Ａ１        網
Ａ２        穴
Ｃ          書類
【図１】
0003172790.tif 000003
【図２】
0003172790.tif 000004
【図３】
0003172790.tif 000005
【図４】
0003172790.tif 000006
【図５】
0003172790.tif 000007
【図６】
0003172790.tif 000008
【図７】
0003172790.tif 000009
【図８】
0003172790.tif 000010
【図９】
0003172790.tif 000011
【図１０】
0003172790.tif 000012
【図１１】
0003172790.tif 000013
【図１２】
0003172790.tif 000014
【図１３】
0003172790.tif 000015
【図１４】
0003172790.tif 000016
【図１５】
0003172790.tif 000017
【図１６】
0003172790.tif 000018
【図１７】
0003172790.tif 000019
【図１７−１】
0003172790.tif 000020
【図１８】
0003172790.tif 000021
【図１８−１】
0003172790.tif 000022
【図１９】
0003172790.tif 000023
【図２０】
0003172790.tif 000024
【手続補正書】
【提出日】平成23年10月27日(2011.10.27)
【手続補正１】
【補正対象書類名】実用新案登録請求の範囲
【補正対象項目名】全文
【補正方法】変更
【補正の内容】
【実用新案登録請求の範囲】
【請求項１】
縦横框を枠組みした框に網を張設した網戸と、複数の穴が開設されたフィルム、及びこのフィルムの周辺の外側に設けた係止部材で構成した差込みフィルムとで構成される差込みフィルム付き網戸において、
前記縦框の内側に溝を設け、
前記係止部材の側面に係止突起をそれぞれ設け、
前記各係止部材に設けた係止突起を、前記縦框の各溝にそれぞれ係止するように構成した差込みフィルム付き網戸。
【請求項２】
請求項１に記載の差込みフィルム付き網戸であって、
前記係止孔を網戸の高さに対して中位から上に設けたことを特徴とした差込みフィルム付き網戸。
【請求項３】
請求項１に記載の差込みフィルム付き網戸であって、
前記係止孔を網戸の高さに対して中位から下に設けたことを特徴とした差込みフィルム付き網戸。
【請求項４】
縦横框を枠組みした框に網を張設した網戸と、複数の穴が開設されたフィルム、及びこのフィルムの周辺に設けたブッシュ材とで構成される差込みフィルム付き網戸において、
前記縦框には、複数の被係止杆、又は被係止穴でなる複数の被係止部を設け、
前記ブッシュ材には、複数の係止穴、又は係止杆でなる複数の係止部を設け、
前記各被係止部と、各係止部とをそれぞれ係止することで、前記縦框に、前記差込みフィルムを係止するように構成した差込みフィルム付き網戸。
【手続補正２】
【補正対象書類名】明細書
【補正対象項目名】全文
【補正方法】変更
【補正の内容】
【考案の詳細な説明】
【技術分野】
【０００１】
本考案は、差込みフィルム付き網戸に関する。
【背景技術】
【０００２】
近年、エネルギー資源の有効利用、及び二酸化炭素の排気制限が行われる等、環境保全対策が進められているが、その一環として、節電対策も重要な役割の一つである。
【０００３】
家庭で使用される電力のうち、夏場のエアコンの消費電力は大きく、節電対策としては、消費電力が大きい夏場のエアコンの使用を抑えるのが望ましい。
【０００４】
夏場のエアコンの使用を抑えた場合の暑さ対策としては、例えば、窓を開けて網戸にして自然の風を利用する方法が考えられるが、窓を開けて網戸にした場合、風が強いと室内にある書類等が風で吹き飛ぶという問題点がある。また、窓を開けることによるプライバシーの侵害にも配慮する必要がある。
【０００５】
そこで、これらの問題点を解決すべく、様々な網戸が提案されている。
【０００６】
例えば、文献１として実開昭６１−１３１４９７号公報「窓掛け付網戸」が挙げられる。この考案は、窓に取り付ける虫避け網戸の網面にカーテン様部材の四隅等に小鉤状の多数の嵌止突起を表面に持つ嵌着布を固着してなる窓掛けの嵌止突起部を対接させて押圧して止め付けることを特徴とした柔軟なフィルム・シート若しくは硬質な平板から成るカーテン様部材に小さい孔を多数あけた窓掛け付網戸である。
【０００７】
また、窓を開けて網戸にした場合、室内には風の他、紫外線も侵入してくるが、人間が長時間にわたって紫外線にさらされると、皮膚、目、免疫系へ急性もしくは慢性の疾患を引き起こすという問題点もある。
【０００８】
この問題点を解決するものとして、例えば、文献２として実開平１−１１８０８９号公報「紫外線防止網戸」が挙げられる。この考案は、アルミサッシの窓枠を組み立て、その中央に紫外線防止用のフィルムを網状にしたものをかぶせた紫外線防止網戸である。
【特許文献１】実開昭６１−１３１４９７号公報
【特許文献２】実開平１−１１８０８９号公報
【考案の開示】
【考案が解決しようとする課題】
【０００９】
しかし、文献１に係る考案によると、網戸の一部を遮蔽する構成であるため、風が強くても室内の書類等が飛ばなくなる利点はあるが、その反面、室内に風が入らなくて暑苦しく、臭気の拡散、若しくは、息苦しさを感ずるおそれが考えられる。
【００１０】
また、文献２に係る考案は、紫外線防止用のフィルムを網状にしたものをアルミサッシの窓枠にかぶせる構成であり、従来の網戸に設置するというものではない。従って、従来の網戸に設置できないという改良点がある。
【課題を解決するための手段】
【００１１】
本考案はかかる問題点に鑑み、次のような差込みフィルム付き網戸を提供する。
【００１２】
請求項１に記載の考案によれば、フィルムに穴を設けていることによって通気性を良くし、自然の風を室内に自由に取り入れられるため、夏場のエアコンの使用を抑えて、消費電力の低減を図ることができる特徴がある。また、シートの穴の数を自由に調節することによって、室内へ入る風の量も自由に調節することができること、また、書類の飛散防止に有効である。さらに、室内への日射の侵入を遮り、室内気温を低く抑える効果がある。また、差込みフィルムと網戸が強固に係止することができる。
【００１３】
請求項１は、縦横框を枠組みした框に網を張設した網戸と、複数の穴が開設されたフィルム、及びこのフィルムの周辺の外側に設けた係止部材で構成した差込みフィルムとで構成される差込みフィルム付き網戸において、
前記縦框の内側に溝を設け、
前記係止部材の側面に係止突起をそれぞれ設け、
前記各係止部材に設けた係止突起を、前記縦框の各溝にそれぞれ係止するように構成した差込みフィルム付き網戸である。
【００１４】
請求項２に記載の考案によれば、網戸の高さに対して差込みフィルムの位置を調節することができる。
【００１５】
請求項２は、請求項１に記載の差込みフィルム付き網戸であって、
前記係止孔を網戸の高さに対して中位から上に設けたことを特徴とした差込みフィルム付き網戸である。
【００１６】
請求項３に記載の考案によれば、網戸の高さに対して差込みフィルムの位置を調節することができる。
【００１７】
請求項３は、請求項１に記載の差込みフィルム付き網戸であって、
前記係止孔を網戸の高さに対して中位から下に設けたことを特徴とした差込みフィルム付き網戸である。
【００１８】
請求項４に記載の考案によれば、請求項１と同様の目的を達成する他、差込みフィルムと網戸が強固に係止することができる。
【００１９】
請求項４は、縦横框を枠組みした框に網を張設した網戸と、複数の穴が開設されたフィルム、及びこのフィルムの周辺に設けたブッシュ材とで構成される差込みフィルム付き網戸において、
前記縦框には、複数の被係止杆、又は被係止穴でなる複数の被係止部を設け、
前記ブッシュ材には、複数の係止穴、又は係止杆でなる複数の係止部を設け、
前記各被係止部と、各係止部とをそれぞれ係止することで、前記縦框に、前記差込みフィルムを係止するように構成した差込みフィルム付き網戸である。
【考案の効果】
【００２０】
請求項１の考案は、縦横框を枠組みした框に網を張設した網戸と、複数の穴が開設されたフィルム、及びフィルムの周辺の外側に設けた係止部材で構成した差込みフィルムとで構成される差込みフィルム付き網戸において、
縦框の内側に溝を設け、
係止部材の側面に係止突起をそれぞれ設け、
各係止部材に設けた係止突起を、縦框の各溝にそれぞれ係止するように構成した差込みフィルム付き網戸である。
【００２１】
したがって、請求項１に記載の考案によれば、フィルムに穴を設けていることによって通気性を良くし、自然の風を室内に自由に取り入れられるため、夏場のエアコンの使用を抑えて、消費電力の低減を図ることができる特徴がある。また、シートの穴の数を自由に調節することによって、室内へ入る風の量も自由に調節することができること、また、書類の飛散防止に有効である。さらに、室内への日射の侵入を遮り、室内気温を低く抑える効果がある。また、差込みフィルムと網戸が強固に係止することができる。
【００２２】
請求項２の考案は、請求項１に記載の差込みフィルム付き網戸であって、
係止孔を網戸の高さに対して中位から上に設けたことを特徴とした差込みフィルム付き網戸である。
【００２３】
したがって、請求項２は、網戸の高さに対して差込みフィルムの位置を調節することができる。
【００２４】
請求項３の考案は、請求項１に記載の差込みフィルム付き網戸であって、
係止孔を網戸の高さに対して中位から下に設けたことを特徴とした差込みフィルム付き網戸である。
【００２５】
したがって、請求項３は、網戸の高さに対して差込みフィルムの位置を調節することができる。
【００２６】
請求項４の考案は、縦横框を枠組みした框に網を張設した網戸と、複数の穴が開設されたフィルム、及びフィルムの周辺に設けたブッシュ材とで構成される差込みフィルム付き網戸において、
縦框には、複数の被係止杆、又は被係止穴でなる複数の被係止部を設け、
ブッシュ材には、複数の係止穴、又は係止杆でなる複数の係止部を設け、
各被係止部と、各係止部とをそれぞれ係止することで、縦框に、差込みフィルムを係止するように構成した差込みフィルム付き網戸である。
【００２７】
したがって、請求項４は、請求項１と同様の目的を達成する他、差込みフィルムと網戸が強固に係止することができる。
【図面の簡単な説明】
【００２８】
【図１】フィルムの斜視図
【図２】フィルムの断面図
【図３】穴あけ冶具の斜視図
【図４】一の実施例である、縦框の内側周辺部に取付溝を形成した網戸の斜視図
【図５】一の実施例である縦框に、差込みフィルムを差込む途中の状態の要部拡大図
【図６】一の実施例である縦框に、差込みフィルムを差込む途中の状態の全体図
【図７】一の実施例である縦框に、差込みフィルムの差込みが完了した状態の全体図
【図８】縦框の内側周辺部に設けた取付け溝を弾性体で形成し、この取付け溝に、フィルムの周辺に設けたブッシュ材を差し込む途中の状態の図
【図９】図８の差し込みが完了した状態の図
【図１０】フィルムと紫外線吸収フィルムの正面図
【図１１】フィルムと紫外線吸収フィルムを網戸に設けた状態の図
【図１２】フィルムと紫外線吸収フィルムを重ね合わせた状態の一部決裁正面図
【図１３】他の実施例である差込みフィルムの斜視図
【図１４】図１３の差込みフィルムの使用状態を表した図
【図１５】取付シートをフィルムに設けた例の正面図
【図１６】取付シートを介して、シートを網戸の四辺の角部に止めた状態の一部決裁した要部拡大図
【図１７】他の実施例の框とフィルムとの係止関係を示した図
【図１７−１】図１７の要部拡大図
【図１８】さらに他の実施例の框とフィルムとの係止関係を示した図
【図１８−１】図１８の要部拡大図
【図１９】従来例の網戸の使用状態の図
【図２０】本考案の網戸の使用状態の図
【考案を実施するための最良の形態】
【００２９】
以下、本考案について説明する。
【００３０】
周知の如く、図示しない、カーテン、ブラインド、シャッタ等の開閉手段は、閉めると、室内には、外気が入りにくいが、プライバシーの保護が図れる。しかし、開ければ、外気が入るが、プランバシーの保護が図れない等の如く、一長一短がある。この開閉手段の中で、ブラインド、シャッタは、風が吹くと不快な音がする場合がある。このような問題点を解決するのが、本考案であり、色付きのもの、又は半透明でなるフィルム１を使用するものである。
【００３１】
このフィルム１は、柔軟で、かつ、薄いものが望ましい。その利点は、網戸Ａ及び／又は框等に対する負担軽減と、取付け及び／又は交換等の容易化、低廉化等に有益である。
【００３２】
そして、また、フィルム１の材質としては様々なものが考えられる。例えば、ポリカーボネート、アクリル、耐候性樹脂等である。その他、塩化ビニリデン、塩化ビニール、又はポリエチレン製等の調理用ラップ等も考えられる。
【００３３】
このフィルム１として、必要不可欠な物性として、例えば、紫外線を反射、若しくは吸収する紫外線防止剤（例えば、酸化チタン）を含有させることが好ましい。例えば、市場のＵＶカット素材が、汎用性と手当ての容易化、取扱の容易化、低コスト化等の見地から好ましい。
【００３４】
その他として、フィルム１には、芳香剤・虫の忌避剤を含有させることが好ましい。含有される芳香剤としては、例えば、酢酸テルピニル（ラベンダーのような香り）、酢酸ゲラニル（バラの花の香り）酢酸シトロネリル（ローズのような香り）等を挙げることができる。忌避剤としては、蚊、昆虫、害虫、小動物等を寄付けない薬液が望ましい。
【００３５】
尚、例えば、フィルム１等に抗ウィルス性塗料を塗布することによって、室内にウィルスの侵入を防止することもできる。
【００３６】
フィルム１の材質を利用することが、さらに重宝するものであり、例えば、穴１ｄの数を増やしたい場合は、爪楊枝や、図３で図示した穴あけ冶具４等で開設する（穴１ｄを開ける）。また、穴１ｄの大きさを変更することも可能であり、前記穴あけ冶具４を利用する際に便利である。そして、穴１ｄの数及び／又は大きさ、開設する場所等を調整して、室内へ入り込む風の量を調節することができる。例えば、多数の穴１ｄが形成されたフィルム１を使用すると、風の入り込む量が多くなる。また、フィルム１の穴１ｄは、円形が強度的に優れ、破れるおそれがないが、これに限定されず、三角形等の多角形、楕円形又はその他の不定形であってもよい。
【００３７】
この穴１ｄの向きに関して説明すると、例えば、図２のように、側面視して傾斜したものや、側面視して水平のもの等、様々な向きが考えられる。部屋の状態、人の生活環境とか、間取り、事務所の構造等を考慮して決定する。例えば、図１９、図２０の如く、事務所等においては、室内の机の上の書類Ｃを吹き飛ばさないことを考慮し、穴１ｄを上方に向けて傾斜させるか、又は水平にする等の方法が望ましい。さらに、室内の高い位置にあるカレンダー、メモ等を風でばたつかせないようにするためには、穴１ｄの位置を下方に向けて傾斜させるか、あるいは、水平にするのが望ましい。
【００３８】
網戸Ａの網Ａ１の穴Ａ２と、フィルム１の穴１ｄを合わせると、多くの風を室内に入れることが可能となる。一方、網戸Ａの網Ａ１の穴Ａ２と、フィルム１の穴１ｄをずらすと、プライバシーの保護が図れることとなる。
【００３９】
このように、網戸Ａの網Ａ１の穴Ａ２と、フィルム１の穴１ｄの位置を適宜選択することによって、室内への風量の調節や、プライバシーの保護を図ることができる。
【００４０】
フィルム１を利用した各実施例を以下に説明する。先ず、図４〜図９にあるように、縦框１１の内側周辺部に取付け溝２０を形成し、この取付け溝２０を弾性体で形成するか、又は弾性シール材（図示せず）を取付け、フィルム１の周辺に設けたブッシュ材２１を差込み係止する構造を採用することで、差込みフィルム３０を、縦框１１に強固かつ弾性的に設置できる特性がある。同様な趣旨で、図１３、図１４は、フィルム１を、差込みフィルム３０とする構造であり、一方のフィルム３０ｂと、他方のフィルム３０ｃの二組の構造である。その一例は、一方のフィルム３０ｂと、他方のフィルム３０ｃには、複数の穴３０ａ１、３０ａ２が開設されるが、この穴３０ａ１、３０ａ２は異質な構造とする。例えば、穴３０ａ１は大きく、穴３０ａ２は小さくするか、又は穴３０ａ１の数を少なく、穴３０ａ２の数を多くする等とする。従って、この異質の穴３０ａ１と、穴３０ａ２を適宜組合せて、風の通過量と、風の方向を自由に選択する。また、この例では、一方のフィルム３０ｂと、他方のフィルム３０ｃを、縦框１１の上下方向において、自由な移動を図るために、例えば、一方のフィルム３０ｂと、他方のフィルム３０ｃとを、係止部材３１に張装する構造とするとともに、この係止部材３１に係止突起３２を設ける構造とし、この係止突起３２を、縦框１１の溝に挿設可能とする。この構造を利用して、この一方のフィルム３０ｂと、他方のフィルム３０ｃとを適宜移動することを特徴とすることで、風の通過量と、風の方向を自由に選択する。また、図示しないが、縦框１１の溝を、網戸Ａの高さに対して中位から上に設ける構成や、又は網戸Ａの高さに対して中位から下に設ける構成とすることによって、差込みフィルム３０を好みの位置に設置することができ、前述の特徴を享受できる。
【００４１】
次に、図１５、図１６の例では、フィルム１に、粘着剤１ｂを備えた取付シート４０を設ける構造であって、この取付シート４０を、網戸Ａの四辺の角部、又は適所に設けて固定し、フィルム１を取付ける方法である。この方法は、取付けの容易化と同時に、剥離及び交換の容易化を意図する。
【００４２】
そして、図１７と図１８の一例では、フィルム１の四隅、又は周辺に、係止部、例えば、係止穴５、又は係止杆６を設けるとともに、網戸Ａの框１１の四隅、又は周辺に、被係止部、例えば、被係止杆８、又は被係止穴７を設ける構成がある。そして、図１７では、係止穴５を、被係止杆８に被嵌し、このフィルム１を網戸Ａに止着する構造を示している。また、図１８では、係止杆６を、被係止穴７に差込み、フィルム１を網戸Ａに止着する構造を示している。具体的には、フィルム１の一隅を把持し、この一隅の係止穴５を、網戸Ａの框の一隅の被係止杆８に被嵌して係止する。この作業を順次行い、フィルム１を、網戸Ａに係止する。或いは、フィルム１の一隅を把持し、この一隅の係止杆６を、網戸Ａの框の一隅の被係止穴７に差込み係止する。この作業を順次行い、フィルム１を、網戸Ａに係止する。
【符号の説明】
【００４３】
１          フィルム
１ｂ        粘着剤
１ｄ        穴
４          穴あけ冶具
５          係止穴
６          係止杆
７          被係止穴
８          被係止杆
１０        フィルム
１１        縦框
１１ａ      支持溝
１１ｂ      係止孔
１２        横框
１５        紫外線吸収フィルム
２０        取付け溝
２１        ブッシュ材
３０        差込みフィルム
３０ａ１    穴
３０ａ２    穴
３０ｂ      フィルム
３０ｃ      フィルム
３１        係止部材
３２        係止突起
３５        係止孔
４０        取付シート
Ａ          網戸
Ａ１        網
Ａ２        穴
Ｃ          書類
【手続補正書】
【提出日】平成23年11月16日(2011.11.16)
【手続補正１】
【補正対象書類名】図面
【補正対象項目名】図５
【補正方法】変更
【補正の内容】
【図５】
0003172790.tif 000025
【手続補正２】
【補正対象書類名】図面
【補正対象項目名】図６
【補正方法】変更
【補正の内容】
【図６】
0003172790.tif 000026
【手続補正３】
【補正対象書類名】図面
【補正対象項目名】図７
【補正方法】変更
【補正の内容】
【図７】
0003172790.tif 000027
【手続補正４】
【補正対象書類名】図面
【補正対象項目名】図８
【補正方法】変更
【補正の内容】
【図８】
0003172790.tif 000028
【手続補正５】
【補正対象書類名】図面
【補正対象項目名】図９
【補正方法】変更
【補正の内容】
【図９】
0003172790.tif 000029